(57)【要約】      （修正有）【課題】  ワンボディタイプの温度・圧力計を提供する。【解決手段】保護管７の先端開口部に、流体の通過穴を具備すると共に、内部に押出しバネを備えたキャップ９を着脱自体に設ける、後端側に流体通過孔を設けたパイプ型バルブ10を保護管７の内部にスライド可能に挿装する、温度感知圧力導入部４が保護管７の後端側から挿入して取付けられると、温度感知圧力導入部４の先端がパイプ型バルブ10を保護管７の先端側へ押込んでキャップ９のバネを圧縮させると共に、キャップ９の流体通過穴から流入する流体温度とその圧力をパイプ型バルブ10に設けた流体通過孔から感温圧力導入体４に伝える、温度感知圧力導入部４を保護管７から抜去すると、パイプ型バルブ10がキャップ９のバネに押されて保護管７の後端側に戻りキャップ９の通過穴から流入する流体がパイプ型バルブ10の流体通過孔を通って温度感知圧力導入部４に伝わるのを遮断するようにした。【選択図】図４
0003121723.tif 000002
【実用新案登録請求の範囲】
【請求項１】
温度計と圧力計の夫々の指示部を一体的に形成した指示部を有し、該指示部に接続された温度感知体と圧力導入部を一体的な棒状に形成した温度感知圧力導入体を保護管内に挿脱可能に収容してなる温度・圧力計において、
前記保護管の先端開口部に、流体の通過穴を具備すると共に、内部に押出しバネを備えたキャップを着脱自体に設ける、
後端側に流体通過孔を設けたパイプ型バルブを前記保護管の内部にスライド可能に挿装する、
前記温度感知圧力導入体が保護管の後端側から挿入して取付けられると、前記温度感知圧力導入部の先端がパイプ型バルブを保護管の先端側へ押込んでキャップのバネを圧縮させると共に、前記キャップの流体通過穴から流入する流体温度とその圧力を前記パイプ型バルブに設けた流体通過孔から感温圧力導入体に伝える、
前記温度感知圧力導入体を前記保護管から抜去すると、前記パイプ型バルブがキャップのバネに押されて保護管の後端側に戻りキャップの通過穴から流入する流体がパイプ型バルブの流体通過孔を通って温度感知圧力導入体に伝わるのを遮断するようにした、
ことを特徴とする温度・圧力計。
【考案の詳細な説明】
【技術分野】
【０００１】
本考案は各種ガスなどの気体や液体などの流体を収容した容器やその配管など（以下、流体収容部という）のように、前記流体が収容されたり流通する流体収容部に、その外側から装着し、内部の流体温度とその圧力とを一つに纏められた形態の計測器により測定する温度・圧力計（以下、略して温圧計ともいう）に関する。
【背景技術】
【０００２】
一つの形に纏められた計測器によって内部流体の温度とその圧力を測定することができれば、容器や配管などの流体収容部に、温度計装着用の穴と圧力計装着用の穴を別々に設ける必要がないので合理的である。
【０００３】
一方、前記計測器のメンテナンスや故障などで、流体収容部から計測器を取外すと、その取外しによって装着していた穴が開放されるため、流体収容部内を流れる流体を止めたり、流体を抜いてやる必要があったが、計測器本体を取外しても保護管が装着用穴を塞いでいれば、流体の運転を止めたり抜いてやる必要がないため、温度感知部（感温部ともいう）や圧力導入部を逆止弁付きの保護管でカバーした温度計や圧力計、或は、両計測器を一体化した温圧計が知られている。
【０００４】
従来、上記のように温度感知部や圧力導入部を保護管でカバーした計測器が特許文献１に開示されている。この文献の計測器は温度計と圧力計をワンボディ化した温圧計である。
【０００５】
上記の温圧計は、温度計と圧力計の表示部を一体化した指示計と、温度感知部と圧力導入部を一体化した感温圧力導入部と具備し、前記指示計と感温圧力導入部を導管や継手を介して接続して成り、前記感温圧力導入部を保護管内に同心的に緩く嵌合して収装し、当該保護管の基端部の内周面に固定螺子を嵌合する雌螺子を、外周面に流体収容部の取付口に螺合する雄螺子を夫々に刻設し、前記保護管の先端部にその外側から内側に向ってのみ流体の流入を許容する逆止弁を、前記感温圧力導入部の先端に対して接離可能に配置することにより、感温圧力導入部を保護管から外すと逆止弁が働いて流体の流入を止め、感温圧力導入部が保護管に取付けられた状態では逆止弁の作用を阻止するようにした、温度計と圧力計を一つに纏めて温圧計としたものである。
【０００６】
しかし、提案されている温圧計は、逆止弁にタイヤチューブ用の逆止弁を使用することを要件としているため、市販されている既製品のタイヤチューブ用逆止弁をそのまま利用できるという製造上の利便性がある一方、感温圧力導入部を外からカバーする保護管は、使用する前記逆止弁に適合したものを使用しなければならないという設計上の制約がある。
【０００７】
また、タイヤチューブ用逆止弁は、タイヤチューブ用ゆえに一例として腐食性流体や強酸性流体に曝された場合、それに対する耐性を持つようには考慮されていないこと、或は、その逆止弁のボディが流体収容部の流体中に露出しているため、使用環境に制約を受け、流体の種類などによっては使うことができないこともあるという汎用性に欠ける憾がある。
【特許文献１】特開２００３−３２２５７９号公報
【考案の開示】
【考案が解決しようとする課題】
【０００８】
本考案は上記の従来提案されている温圧計のような問題点のないワンボディタイプの温度・圧力計を提供することをその課題とする。
【課題を解決するための手段】
【０００９】
上記課題を解決することを目的としてなされた本考案温圧計の構成は、温度計と圧力計の夫々の指示部を一体的に形成した指示部を有し、該指示部に接続された温度感知体と圧力導入部を一体的な棒状に形成した温度感知圧力導入体を保護管内に挿脱可能に収容してなる温度・圧力計において、前記保護管の先端開口部に、流体の通過穴を具備すると共に、内部に押出しバネを備えたキャップを着脱自体に設ける、後端側に流体通過孔を設けたパイプ型バルブを前記保護管の内部にスライド可能に挿装する、前記温度感知圧力導入体が保護管の後端側から挿入して取付けられると、前記温度感知圧力導入体の先端がパイプ型バルブを保護管の先端側へ押込んでキャップのバネを圧縮させると共に、前記キャップの流体通過穴から流入する流体温度とその圧力を前記パイプ型バルブに設けた流体通過孔から感温圧力導入体に伝える、前記温度感知圧力導入体を前記保護管から抜去すると、前記パイプ型バルブがキャップのバネに押されて保護管の後端側に戻りキャップの通過穴から流入する流体がパイプ型バルブの流体通過孔を通って温度感知圧力導入体に伝わるのを遮断するようにしたことを特徴とするものである。
【考案の効果】
【００１０】
本考案はワンボディタイプの温圧計において、保護管の先端開口部に、流体の通過穴を具備すると共に、内部に押出しバネを備えたキャップを着脱自体に設ける、後端側に流体通過孔を設けたパイプ型バルブを前記保護管の内部にスライド可能に挿装する、前記温度感知圧力導入体が保護管の後端側から挿入して取付けられると、前記温度感知圧力導入体の先端がパイプ型バルブを保護管の先端側へ押込んでキャップのバネを圧縮させると共に、前記キャップの流体通過穴から流入する流体温度とその圧力を前記パイプ型バルブに設けた流体通過孔から感温圧力導入体に伝える、前記温度感知圧力導入体を前記保護管から抜去すると、前記パイプ型バルブがキャップのバネに押されて保護管の後端側に戻りキャップの通過穴から流入する流体がパイプ型バルブの流体通過孔を通って温度感知圧力導入体に伝わるのを遮断するようにしたから、感温圧力導入体の挿脱によって保護管の内部に挿装したパイプ型バルブが、流体収容部内の流体温度とその圧力の保護管への流入を、許容，遮断することができる。
【００１１】
そして、収容部内の流体温度とその圧力が保護管内へ流入することを許容，遮断するパイプ型バルブは、保護管内に完全に収容されて当該保護管にフルカバーされた内挿タイプのパイプ型バルブであるから、外力などを受けても壊れにくい。
【考案を実施するための最良の形態】
【００１２】
次に本考案の実施の形態例について、図に拠り説明する。添付した図は、図１が温度と圧力の指示部の一例の正面図、図２は図１の指示部の背面側において結合接続され下向きに配置された棒状の温度感知圧力導入体を有する本考案温圧計の側面図、図３は左半を断面にした保護管の側面図、図４は温度感知圧力導入体を抜去した状態における保護管の断面図、図５は温度感知圧力導入体を挿入した状態における保護管の断面図である。
【００１３】
図１に示した温度・圧力計の指示部１においては、円形メータの左半側に圧力計の目盛2aと指針2bが配置され、右半側に温度計の目盛3aと指針3bが配置されている。図示した指示部１の形態は一例であって他の形態の指示部１であっても本考案は適用できる。
【００１４】
図２において、前記指示部１の背面側には、熱電対などを有する温度感知部4a（感温部4aともいう）と圧力導入部4bを具備した略棒状をなす温度感知圧力導入体４が結合，接続されている。上記の温度感知部4aと圧力導入部4bは、指示部１におけるそれぞれの指針2bと3bに、公知の変換機構などを介して接続され、検出した温度と圧力を上記指針2a，3bの動きに変換するようになっている。なお、図２の温度感知圧力導入体４は、説明の便宜上、本明細書において、図の下部側を先端、図の上部側を後端と呼ぶこととする。
【００１５】
上記の温度感知圧力導入体４において、５は、後に説明する保護管７を螺合して装着するための雄ネジ部、5aは雄ネジ部５を回転させるためのナット部、６は保護管７との装着部に設けたシール用のＯ−リングである。
【００１６】
図２の温度感知圧力導入体４は、図３に例示する保護管７にその管７の後端側（図の上方）から挿入される。即ち、保護管７は、その後部（図の上方）の内側が前記雄ネジ部５に螺合する雌ネジ部7aに形成され、その外面が角ナット部7bに形成されている。そして、雌ネジ部7aの下方は、前記Ｏ−リング６に密に接する内面を有する圧力導入室7cに形成されている。
【００１７】
保護管７の圧力導入室7cより下方の構成は次の通りである。
圧力導入室7cの底は、中心部に穴が形成され後述するパイプ型バルブ10を挿入して支持する内フランジ状のガイド受座7dに形成されている。保護管７における前記受座7dより下方の形態は、前記バルブ10を収容したとき大き目の隙間が形成される内径に形成された筒状体であり、この筒状体の図の下端部は開放されて、この開放部にネジ式で着脱されるキャップ９により塞がれている。7eはこの保護管７を流体収容部（図示しない配管など）に設けた装着穴（雌ネジ付き）に螺合取付けするための雄ネジ部である。
【００１８】
図４，図５に示すキャップ９は、その外周上に複数の流体の通過孔9aを有し、そのキャップの内部に押出しバネ9bを備えている。そして、このキャップ９と保護管７の先端部（図の下方）は、相互に設けた雌雄ネジによるネジ螺合部9cによって、キャップ９が保護管７の先端開放側に着脱可能に装着されている。
【００１９】
一方、保護管７の内部に収挿されるパイプ型バルブ10は、先端部（図の下方）が塞がれた筒体で形成されている。このパイプ型バルブ10は、保護管７の中で、その上端の端面10aが温度感知圧力導入体４における圧力導入部4bの端面（図の下方側）に押されて図５の位置にあるとき、キャップ９の流体通過孔9aから流入する流体（圧力）を圧力導入室7cに導くための流体通過孔10bが、このバルブ10の後端部（図の上方）に設けられている。
【００２０】
前記バルブ10において、前記の流体通過孔10bから先端側（図の下方）に少し離れた部位の外側には、前記受座7dと対をなす外フランジ部10cが形成され、前記受座7dと外フランジ部10cの間に、シール用のゴムパッキン８が装着されている。なお、前記バルブ10の外面（フランジ部10cの外面を含む）と保護管７の内面の間には、流体通過孔9aから流入する流体が通り得る微小ギャップｇが形成されている。
【００２１】
上記構成によって、温度・圧力計における温度感知圧力導入体４の圧力導入部4bの端面がパイプ型バルブ10の端面10aから外れる、具体的には前記の温度感知圧力導入体４が保護管７から抜去されると、前記バルブ10はその押えが外れるので、押出しバネ9bの押出し作用を受けて、図４の状態、つまり図４の上方へ向け少し移動する。
【００２２】
押出しバネ9bの作用により移動してそのフランジ部10cがゴムパッキン８をつぶして隙間ｇを塞ぐと、通過孔9aから流入する流体は、圧力導入室7cに流入できなくなる。
【００２３】
従って、保護管７を流体収容部（容器や配管など）に設けた装着穴（図示せず）に、その取付ネジ部7eにより装着しておけば、保護管７が装着穴を塞ぎ、かつ、パイプ型バルブ10が逆止弁作用をするので、指示部１と一体の温度感知圧力導入体４をこの保護管７から取外して当該計測器のメンテナンスや取替えなどを行っても、流体収容部内の流体を止めたり抜いたりする必要がない。
【産業上の利用可能性】
【００２４】
本考案は以上の通りであって、温度計と圧力計の夫々の指示部を一体的に形成した指示部を有し、該指示部に接続された温度感知体と圧力導入部を一体的な棒状に形成した温度感知圧力導入体を保護管内に挿脱可能に収容してなる温度・圧力計において、前記保護管の先端開口部に、流体の通過穴を具備すると共に、内部に押出しバネを備えたキャップを着脱自体に設ける、後端側に流体通過孔を設けたパイプ型バルブを前記保護管の内部にスライド可能に挿装する、前記温度感知圧力導入体が保護管の後端側から挿入して取付けられると、前記温度感知圧力導入体の先端がパイプ型バルブを保護管の先端側へ押込んでキャップのバネを圧縮させると共に、前記キャップの流体通過穴から流入する流体温度とその圧力を前記パイプ型バルブに設けた流体通過孔から感温圧力導入体に伝える、前記温度感知圧力導入体を前記保護管から抜去すると、前記パイプ型バルブがキャップのバネに押されて保護管の後端側に戻りキャップの通過穴から流入する流体がパイプ型バルブの流体通過孔を通って温度感知圧力導入体に伝わるのを遮断するようにしたので、従来品の問題を解消することができる。特に本考案では、逆止弁として作動するパイプ型バルブが他の構成部材とともに保護管の中に完全に収装されているので、故障が生じにくい。
【図面の簡単な説明】
【００２５】
【図１】温度と圧力の指示部の一例の正面図。
【図２】図１の指示部の背面側において結合接続され下向きに配置された棒状の温度感知圧力導入体を有する本考案温圧計の側面図。
【図３】左半を断面にした保護管の側面図。
【図４】温度感知圧力導入体を抜去した状態における保護管の断面図。
【図５】温度感知圧力導入体を挿入した状態における保護管の断面図
【符号の説明】
【００２６】
１      指示部
2a      圧力計の目盛
2b      圧力計の指針
3a      温度計の目盛
3b      温度計の指針
４      温度感知圧力導入体
５      装着用雄ネジ部
６      Ｏ−リング
７      保護管
８      パッキン
９      キャップ
10      パイプ型バルブ
【図１】
0003121723.tif 000003
【図２】
0003121723.tif 000004
【図３】
0003121723.tif 000005
【図４】
0003121723.tif 000006
【図５】
0003121723.tif 000007